(57)【要約】【課題】コンテンツを視聴した人数に応じた推奨コンテンツを提示する表示装置を実現すること。【解決手段】上記の課題を解決するために、本発明の一態様に係る表示装置（４）は、ユーザの視聴履歴に応じて、コンテンツを推奨する表示装置（４）であって、視聴人数を判定する人数判定部（１１）と、上記人数判定部（１１）が判定した人数に応じて、推奨するコンテンツを決定する推奨コンテンツ決定部（１２）とを備える。【選択図】図１
2019054317.tif 000002
【特許請求の範囲】
【請求項１】
ユーザの視聴履歴に応じて、コンテンツを推奨する表示装置であって、
視聴人数を判定する人数判定部と、
上記人数判定部が判定した人数に応じて、推奨するコンテンツを決定する推奨コンテンツ決定部と、
を備えることを特徴とする表示装置。
【請求項２】
カメラを更に備え、
上記人数判定部は、上記カメラで撮影した画像を参照して、上記コンテンツを視聴する人数を判定することを特徴とする請求項１に記載の表示装置。
【請求項３】
上記人数判定部は、視聴した又は視聴中のコンテンツに応じて、上記人数判定部によるセンシング感度を制御することを特徴とする請求項２に記載の表示装置。
【請求項４】
人感センサを更に備え、
上記人数判定部は、上記人感センサによる検知結果を参照して、上記コンテンツを視聴する人数を判定することを特徴とする請求項１に記載の表示装置。
【請求項５】
上記人数判定部は、視聴した又は視聴中のコンテンツに応じて、上記人感センサのセンシング感度を制御することを特徴とする請求項４に記載の表示装置。
【請求項６】
上記人数判定部は、ユーザが所有する端末の電波強度に応じて、上記コンテンツを視聴する人数を判定することを特徴とする請求項１から５までの何れか１項に記載の表示装置。
【請求項７】
上記推奨コンテンツ決定部は、上記コンテンツを視聴する人数が増加した場合にのみ、推奨するコンテンツを決定することを特徴とする請求項１から６までの何れか１項に記載の表示装置。
【請求項８】
上記推奨コンテンツ決定部は、
視聴時刻に応じて推奨コンテンツを決定することを特徴とする請求項１から７までの何れか１項に記載の表示装置。
【請求項９】
請求項１から８までの何れか１項に記載の表示装置を備えることを特徴とするテレビジョン受像機。
【請求項１０】
ユーザの視聴履歴に応じて、コンテンツを推奨する表示方法であって、
視聴人数を判定する人数判定ステップと、
上記人数判定ステップにおいて判定した人数に応じて、推奨するコンテンツを決定する推奨コンテンツ決定ステップと、
を含むことを特徴とする表示方法。
【請求項１１】
請求項１から８までの何れか１項に記載の表示装置としてコンピュータを機能させるための制御プログラムであって、上記人数判定部及び上記推奨コンテンツ決定部としてコンピュータを機能させるための制御プログラム。
【請求項１２】
請求項１１に記載の制御プログラムを記録したコンピュータ読み取り可能な記録媒体。
【発明の詳細な説明】
【技術分野】
【０００１】
本発明は、表示装置、テレビジョン受像機、表示方法、制御プログラム及び記録媒体に関する。
【背景技術】
【０００２】
ユーザが、番組等のコンテンツを視聴した場合に、集合知と呼ばれる多数のユーザによる集計に基づいて、当該コンテンツに関連した別途推奨コンテンツをユーザに対して提示する技術が公知である。
【０００３】
以下の特許文献１では、カメラに映った人物の特徴によって提示する推奨コンテンツを決定する番組情報提供装置が開示されている。
【先行技術文献】
【特許文献】
【０００４】
【特許文献１】特開２００９−１５２７１９号公報（２００９年７月９日公開）
【発明の概要】
【発明が解決しようとする課題】
【０００５】
しかしながら、上記のような従来技術においては、コンテンツを推奨する場合に、コンテンツを視聴している又は視聴した人数が考慮されない。したがって、例えば複数人数でコンテンツを視聴した場合に、以前１人で視聴したコンテンツに関連する、好適ではないコンテンツを提示されうるという問題がある。
【０００６】
本発明の一態様は、上記の課題を鑑みてなされたものであり、コンテンツを視聴した人数に応じた推奨コンテンツを提示する表示装置を実現することを目的とする。
【課題を解決するための手段】
【０００７】
上記の課題を解決するために、本発明の一態様に係る表示装置は、ユーザの視聴履歴に応じて、コンテンツを推奨する表示装置であって、視聴人数を判定する人数判定部と、上記人数判定部が判定した人数に応じて、推奨するコンテンツを決定する推奨コンテンツ決定部とを備える。
【発明の効果】
【０００８】
本発明の一態様によれば、視聴人数に応じた、より好適な推奨コンテンツをユーザに対し提示する表示装置を実現できる。
【図面の簡単な説明】
【０００９】
【図１】実施形態１に係る表示装置４（を備えるテレビジョン受像機２）の機能ブロック図である。
【図２】実施形態１に係るテレビジョン受像機２の外観を示す図である。
【図３】実施形態１に係る処理の流れを示すフローチャートである。
【図４】実施形態２に係る処理の流れを示すフローチャートである。
【図５】実施形態２の実施の一例を示す図である。
【発明を実施するための形態】
【００１０】
本発明の実施形態について図１〜図５に基づいて説明すれば以下の通りである。
【００１１】
〔実施形態１〕
以下、本発明の一実施形態について、図１〜図３に基づいて説明する。
【００１２】
本実施形態においては、コンテンツを視聴する人数に応じて（多くの場合、当該コンテンツに関連した）推奨コンテンツを決定する構成について説明する。
【００１３】
［１．表示装置４の構成］
図１は、本実施形態に係る表示装置４（を備えるテレビジョン受像機２）の機能ブロック図である。
【００１４】
図２は、本実施形態に係るテレビジョン受像機２の外観を示す図である。
【００１５】
図１に示す通り、テレビジョン受像機２は、チューナー３と表示装置４とを備えている。表示装置４は、カメラ５、制御部１０、記憶部６、表示部７、及び通信部８を備えている。
【００１６】
カメラ５は、表示装置４周辺の動画像を撮像する。
【００１７】
制御部１０は、表示装置４全体を統括する制御回路であり、人数判定部１１及び推奨コンテンツ決定部１２としても機能する。人数判定部１１は、カメラ５の撮像画像等を参照して、コンテンツを視聴する人数を判定する。
【００１８】
推奨コンテンツ決定部１２は、表示装置４がコンテンツを配信するコンテンツサーバ１から取得した推奨候補コンテンツのリストに含まれるコンテンツから、ユーザに提示する推奨コンテンツを決定する。記憶部６は、各種データを保持する。表示部７は各種コンテンツの動画像を表示する表示パネルである。通信部８は、コンテンツサーバ１等との通信を行う。
【００１９】
［２．処理の流れ］
以下、表示装置４が推奨コンテンツを表示するまでの処理の流れについて、図１及び図３に基づいてステップごとに説明する。
【００２０】
図３は、本実施形態に係る処理の流れを示すフローチャートである。
【００２１】
（Ｓ１０１）
ユーザは、任意の人数で所定のコンテンツの視聴を開始する。制御部１０は、通信部８にコンテンツサーバ１から当該コンテンツ及び当該コンテンツに応じた推奨コンテンツの候補のリストである推奨候補コンテンツのリストを取得させる。なお、上記コンテンツサーバ１には、各ユーザに係るアカウントの視聴履歴が保存されており、当該推奨候補コンテンツのリストは、同一のコンテンツに基づくものであっても、ユーザによって異なる。換言すれば、当該推奨候補コンテンツのリストは、ユーザの視聴履歴に応じたものである。
【００２２】
制御部１０は、上記コンテンツ及び推奨候補コンテンツのリストを記憶部６に格納し、ユーザの操作に応じて上記コンテンツを表示部７に表示させる。
【００２３】
（Ｓ１０２）
カメラ５は表示装置４周辺の画像（動画）を撮像する。人数判定部１１は、カメラ５で撮像した上記画像を参照して、撮像された人数を公知の方法で検出する。制御部１０は、人数判定部１１が判定した上記人数を記憶部６に格納する。
【００２４】
（Ｓ１０３）
ユーザが上記コンテンツの視聴を終了又は中断する。
【００２５】
（Ｓ１０４）
本ステップでは、制御部１０は、ステップＳ１０２において、人数判定部１１が判定した上記コンテンツの視聴人数に応じた判定を行う。
【００２６】
本実施形態では一例として、上記コンテンツを１人で視聴した場合はステップＳ１０５へ、２人で視聴した場合はＳ１０６へ遷移する。
【００２７】
（Ｓ１０５）
推奨コンテンツ決定部１２は、上記推奨候補コンテンツのリストが含むコンテンツのうち、１人での視聴に適した単数又は複数のコンテンツを、ユーザに推奨する推奨コンテンツとして決定する。ここで、１人での視聴に適したコンテンツの一例として、個人の嗜好がより強く反映されたコンテンツが挙げられる。
【００２８】
制御部１０は、上記のように決定した推奨コンテンツに係るタイトル画像やコンテンツの映像を表示部７に表示させる。
【００２９】
（Ｓ１０６）
推奨コンテンツ決定部１２は、上記推奨候補コンテンツのリストが含むコンテンツのうち、２人での視聴に適した単数又は複数のコンテンツを、ユーザに推奨する推奨コンテンツとして決定する。ここで、２人での視聴に適したコンテンツ、又は、複数人での視聴に適したコンテンツの一例として、個人の嗜好よりも、当該複数人の平均的嗜好がより強く反映されたコンテンツが挙げられる。
【００３０】
制御部１０は、上記のように決定した推奨コンテンツに係るタイトル画像やコンテンツの映像を表示部７に表示させる。以上が本ステップＳ１０６の動作である。
【００３１】
上記の構成によれば、視聴人数に応じた、より好適な推奨コンテンツをユーザに対し提示する表示装置４を実現できる。
【００３２】
＜実施形態１に係る付記事項１＞
図３に示したフローチャートにおいて、ステップＳ１０２とステップＳ１０３の処理順が逆であってもよい。すなわち、コンテンツの視聴を終了した後に、視聴人数を判定し、当該判定した結果に応じて、制御部１０が推奨コンテンツを決定する構成としてもよい。
【００３３】
＜実施形態１に係る付記事項２＞
実施形態１においては、一例としてコンテンツの視聴人数が１人又は２人の場合について説明したが、本願発明は上記の構成に限定されない。例えば、コンテンツの視聴人数が３人以上である場合には、家族等でコンテンツを視聴している可能性が高いと解し、推奨コンテンツ決定部１２は、年少者にも適したコンテンツを推奨コンテンツとして決定する構成でもよい。
【００３４】
〔実施形態２〕
本発明の他の実施形態について、図１、図４、及び図５に基づいて説明する。
【００３５】
［１．表示装置４の構成］
本実施形態においても、図１に示す構成を用いる。
【００３６】
［２．処理の流れ］
以下、表示装置４が推奨コンテンツを表示するまでの処理の流れについて、図１、図４及び図５に基づいてステップごとに説明する。
【００３７】
図４は、本実施形態に係る処理の流れを示すフローチャートである。
【００３８】
（Ｓ１０１）
ユーザは、任意の人数で所定のコンテンツの視聴を開始する。制御部１０は、通信部８にコンテンツサーバ１から当該コンテンツ及び当該コンテンツに応じた推奨コンテンツの候補のリストである推奨候補コンテンツのリストを取得させる。なお、上記コンテンツサーバ１には、各ユーザに係るアカウントの視聴履歴が保存されており、当該推奨候補コンテンツのリストは、同一のコンテンツに基づくものであっても、ユーザによって異なる。換言すれば、当該推奨候補コンテンツのリストは、ユーザの視聴履歴に応じたものである。
【００３９】
（Ｓ１０２’）
カメラ５は表示装置４周辺の画像（動画）を撮像する。人数判定部１１は、カメラ５で撮像した上記画像を参照して、撮像された人数を公知の方法で検出する。制御部１０は、人数判定部１１が検出した上記人数を記憶部６に格納する。また、人数判定部１１は、上記コンテンツの再生途中における視聴人数の増減についても判定を行い、制御部１０は、上記視聴人数が増加した時刻も人数に併せて記憶部６に格納する。
【００４０】
（Ｓ１０３）
ユーザが上記コンテンツの視聴を終了又は中断する。
【００４１】
（Ｓ１１４）
本ステップでは、制御部１０は、ステップＳ１０２’における人数判定部１１の判定に基づき、上記コンテンツの視聴途中において視聴人数が増加したか否かの判定を行う。なお、制御部１０は、上記コンテンツを所定の時間以上視聴したユーザについては、視聴開始当初から、上記コンテンツを視聴していたものとして扱う。
【００４２】
途中で視聴する人数が増加した場合はステップＳ１１５に、増加していない場合はステップＳ１１６に遷移する。
【００４３】
（Ｓ１１５）
推奨コンテンツ決定部１２は、上記推奨候補コンテンツのリストが含むコンテンツのうち、視聴終了又は中断前に視聴人数が増加した場合に適した、単数又は複数のコンテンツＡを推奨コンテンツとして決定する。コンテンツＡの一例として、個人の嗜好よりも、一般的な平均的嗜好がより強く反映されたコンテンツが挙げられる。
【００４４】
制御部１０は、上記のように決定した推奨コンテンツに係るタイトル画像やコンテンツの映像を表示部７に表示させる。
【００４５】
（Ｓ１１６）
推奨コンテンツ決定部１２は、上記推奨候補コンテンツのリストが含むコンテンツのうち、上記コンテンツを視聴した人数に適した、単数又は複数のコンテンツＢを推奨コンテンツとして決定する。コンテンツＢの一例として、ユーザの嗜好がより強く反映されたコンテンツが挙げられる。
【００４６】
制御部１０は上記コンテンツに係るタイトル画像等を表示部７に表示させる。以上が本ステップＳ１１６の動作である。
【００４７】
図５は、本実施形態の実施の一例を示す図である。
【００４８】
上記の構成によれば、例えば図５の１００のように、ユーザが子供向けではないコンテンツを視聴している場合に子供が近くに来たため上記視聴を中断した場合においても、（１０１ではなく１０２のように）子供向けではない推奨コンテンツを画面に表示させないような制御が可能となる。
【００４９】
＜実施形態１及び２に係る付記事項＞
上記の実施形態１及び２においては、人数判定部１１は、カメラ５が撮像した画像を参照して、コンテンツを視聴する人数の判定を行ったが、本願発明は上記の構成に限定されない。例えば表示装置４が人感センサを備え、上記人感センサの検知結果を参照して、当該コンテンツの視聴人数を判定する構成でもよい。また、人数判定部１１は、各ユーザが所有するスマートフォン等の端末装置による電波強度であって、表示装置４、又は（Ｗｉ‐Ｆｉ（登録商標）等の）無線ＬＡＮ（wireless Local Area Network）のアクセスポイントに対する電波強度に応じて上記コンテンツの視聴人数を判定する構成でもよい。上記の構成によれば、例えば、端末装置を持った子供が近くに来たためコンテンツの視聴を中断した場合において、人数判定部１１は、必ずしも子供が、ユーザがコンテンツを視聴していた部屋に入って来ずとも子供の接近を検知し、実施形態２と同様の効果を奏することができる。
【００５０】
また、ユーザが視聴した又は視聴中のコンテンツに応じて、カメラ５が撮像した画像に対する人数判定部１１、又は人感センサのセンシング感度を変化させる構成でもよい。例えば、他のユーザに見られるのが望ましくない、個人の嗜好が強く反映されたコンテンツを視聴中に、他のユーザが近くに来たため上記視聴を中断した場合において、人数判定部１１のセンシング感度を強め、ユーザの視聴人数が増えていないという誤検知を抑制することにより、上記コンテンツに類似した推奨コンテンツが画面に表示されることをより防止する効果を奏する。
【００５１】
また、推奨コンテンツ決定部１２は、ユーザがコンテンツ視聴を終了又は中断した場合に提示するコンテンツを、視聴人数だけでなく、視聴時刻に応じても変化させる構成でもよい。例えば視聴時刻が早い場合には、子供向けではない推奨コンテンツが画面に表示されることを抑制し、視聴時刻が遅い場合には、子供向けではない推奨コンテンツであっても画面に表示させる構成が挙げられる。
【００５２】
〔ソフトウェアによる実現例〕
表示装置４の制御ブロック（特に制御部１０及び記憶部６）は、集積回路（ＩＣチップ）等に形成された論理回路（ハードウェア）によって実現してもよいし、ソフトウェアによって実現してもよい。
【００５３】
後者の場合、表示装置４は、各機能を実現するソフトウェアであるプログラムの命令を実行するコンピュータを備えている。このコンピュータは、例えば少なくとも１つのプロセッサ（制御装置）を備えていると共に、上記プログラムを記憶したコンピュータ読み取り可能な少なくとも１つの記録媒体を備えている。そして、上記コンピュータにおいて、上記プロセッサが上記プログラムを上記記録媒体から読み取って実行することにより、本発明の目的が達成される。上記プロセッサとしては、例えばＣＰＵ（Central Processing Unit）を用いることができる。上記記録媒体としては、「一時的でない有形の媒体」、例えば、ＲＯＭ（Read Only Memory）等の他、テープ、ディスク、カード、半導体メモリ、プログラマブルな論理回路などを用いることができる。また、上記プログラムを展開するＲＡＭ（Random Access Memory）などをさらに備えていてもよい。また、上記プログラムは、該プログラムを伝送可能な任意の伝送媒体（通信ネットワークや放送波等）を介して上記コンピュータに供給されてもよい。なお、本発明の一態様は、上記プログラムが電子的な伝送によって具現化された、搬送波に埋め込まれたデータ信号の形態でも実現され得る。
【００５４】
〔まとめ〕
本発明の態様１に係る表示装置４は、ユーザの視聴履歴に応じて、コンテンツを推奨する表示装置４であって、視聴人数を判定する人数判定部１１と、上記人数判定部１１が判定した人数に応じて、推奨するコンテンツを決定する推奨コンテンツ決定部１２と、を備える構成である。
【００５５】
上記の構成によれば、視聴人数に応じた、より好適な推奨コンテンツをユーザに対し提示する表示装置４を実現できる。
【００５６】
本発明の態様２に係る表示装置４は、上記の態様１において、カメラ５を更に備え、上記人数判定部１１は、上記カメラ５で撮影した画像を参照して、上記コンテンツを視聴する人数を判定する構成としてもよい。
【００５７】
本発明の態様３に係る表示装置４は、上記の態様２において、上記人数判定部１１は、視聴した又は視聴中のコンテンツに応じて、上記人数判定部１１によるセンシング感度を制御する構成としてもよい。
【００５８】
上記の構成によれば、コンテンツの再生途中で視聴人数が増加した場合に、適切でない推奨コンテンツの表示をより抑制する効果を奏する。
【００５９】
本発明の態様４に係る表示装置４は、上記の態様１において、人感センサを更に備え、上記人数判定部１１は、上記人感センサによる検知結果を参照して、上記コンテンツを視聴する人数を判定する構成としてもよい。
【００６０】
本発明の態様５に係る表示装置４は、上記の態様４において、上記人数判定部１１は、視聴した又は視聴中のコンテンツに応じて、上記人感センサのセンシング感度を制御する構成としてもよい。
【００６１】
上記の構成においても、態様３と同様な効果を奏する。
【００６２】
本発明の態様６に係る表示装置４は、上記の態様１から５までの何れか１態様において、上記人数判定部１１は、ユーザが所有する端末によるワイヤレスローカルエリアネットワークのアクセスポイントに対する電波強度に応じて、上記コンテンツを視聴する人数を判定する構成としてもよい。
【００６３】
上記の構成によれば、より広範囲において態様３と同様な効果を奏する。
【００６４】
本発明の態様７に係る表示装置４は、上記の態様１から６までの何れか１態様において、上記推奨コンテンツ決定部１２は、上記コンテンツを視聴する人数が増加した場合にのみ、推奨するコンテンツを決定する構成としてもよい。
【００６５】
本発明の態様８に係る表示装置４は、上記の態様１から７までの何れか１態様において、上記推奨コンテンツ決定部１２は、視聴時刻に応じて推奨コンテンツを決定する構成としてもよい。
【００６６】
本発明の態様９に係る表示装置４を備えることを特徴とするテレビジョン受像機２は、態様１から８までの何れか１態様に記載の表示装置４を備える構成としてもよい。
【００６７】
上記の構成によると、態様１から８までの何れか１態様に示した効果を奏するテレビジョン受像機２を実現できる。
【００６８】
本発明の態様１０に係る表示方法は、ユーザの視聴履歴に応じて、コンテンツを推奨する表示方法であって、視聴人数を判定する人数判定ステップと、
上記人数判定ステップにおいて判定した人数に応じて、推奨するコンテンツを決定する推奨コンテンツ決定ステップと、を含むことを特徴とする表示方法である。
【００６９】
上記の構成においても、態様１と同様な効果を奏する。
【００７０】
本発明の態様１１に係る制御プログラムは、態様１から８までの何れか１態様に記載の表示装置４としてコンピュータを機能させるための制御プログラムであって、上記人数判定部１１及び上記推奨コンテンツ決定部１２としてコンピュータを機能させる構成としてもよい。
【００７１】
本発明の態様１２に係る記録媒体は、態様１１に記載の制御プログラムを記録したコンピュータ読み取り可能な記録媒体であってもよい。
【００７２】
本発明の各態様に係る表示装置４は、コンピュータによって実現してもよく、この場合には、コンピュータを上記表示装置４が備える各部（ソフトウェア要素）として動作させることにより上記表示装置４をコンピュータにて実現させる表示装置４の制御プログラム、及びそれを記録したコンピュータ読み取り可能な記録媒体も、本発明の範疇に入る。
【００７３】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【００７４】
１  コンテンツサーバ
２  テレビジョン受像機
３  チューナー
４  表示装置
５  カメラ
６  記憶部
７  表示部
８  通信部
１０  制御部
１１  人数判定部
１２  推奨コンテンツ決定部
【図１】
2019054317.tif 000003
【図２】
2019054317.tif 000004
【図３】
2019054317.tif 000005
【図４】
2019054317.tif 000006
【図５】
2019054317.tif 000007